(57)【要約】【課題】サービスエリア内にいる不特定多数に対してコミュニケーションを取れる情報端末装置、情報管理装置、情報通信方法および情報通信システムを提供する。【解決手段】端末１は、メッセージ入力部２と、位置情報を取得してメッセージに添付する位置情報取得部３と、サービスエリア内におけるサーバーへの書き込みをするために、位置情報を添付したメッセージをサーバーに送信する送出部４と、サービスエリア内外にかかわらず他の端末からサーバーへ書き込まれたメッセージをサーバーから受信する受信部５と、メッセージを表示する表示部６とを備える。【選択図】  図１
2004220522.tif 000002
【特許請求の範囲】
【請求項１】
情報管理装置のサービスエリア内外で異なる情報のサービスを受ける情報端末装置において、
メッセージを入力する入力手段と、
位置情報を取得して上記メッセージに添付する位置情報取得手段と、
上記サービスエリア内における上記情報管理装置への書き込みをするために、上記位置情報を添付したメッセージを上記情報管理装置に送信する送信手段と、上記サービスエリア内外にかかわらず、他の情報端末装置から上記情報管理装置へ書き込まれたメッセージを上記情報管理装置から受信する受信手段と、
上記メッセージを表示する表示手段とを備えたことを特徴とする情報端末装置。
【請求項２】
請求項１記載の情報端末装置において、
上記位置情報は、ＧＰＳ（Ｇｌｏｂａｌ  Ｐｏｓｉｔｉｏｎｉｎｇ  Ｓｙｓｔｅｍ）情報を用いて取得することを特徴とする情報端末装置。
【請求項３】
請求項１記載の情報端末装置において、
上記位置情報は、無線通信到達範囲の情報であることを特徴とする情報端末装置。
【請求項４】
情報端末装置に対してサービスエリア内外で異なる情報のサービスを提供する情報管理装置において、
上記情報端末装置からのメッセージの書き込み要求を入力すると共に、他の情報端末装置から書き込まれたメッセージの閲覧要求を入力する入力手段と、
上記サービスエリア内外に応じて、上記サービスエリア内における上記情報端末装置からのメッセージの書き込みを許可すると共に、上記サービスエリア内外にかかわらず他の情報端末装置から書き込まれたメッセージの閲覧を許可するエリア管理手段と、
上記サービスエリア内における上記情報端末装置から書き込み要求されたメッセージを記憶すると共に、上記サービスエリア内外にかかわらず、他の情報端末装置から書き込まれたメッセージを閲覧可能に読み出すメッセージ記憶手段と、上記情報端末装置に対して、上記他の情報端末装置から書き込まれたメッセージを閲覧のために出力する出力手段と、を備えたことを特徴とする情報管理装置。
【請求項５】
請求項４記載の情報管理装置において、
上記情報端末装置のユーザーの識別符号により上記エリア管理手段のサービスを受けるための認証をする共に、上記ユーザーの個人情報を管理するユーザー管理手段を備えたことを特徴とする情報管理装置。
【請求項６】
請求項５記載の情報管理装置において、
上記エリア管理手段からの課金要求により上記情報端末装置のユーザーの課金結果を上記ユーザー管理手段に供給して、上記情報端末装置のユーザーに対する課金を管理する課金管理手段を備えたことを特徴とする情報管理装置。
【請求項７】
請求項４記載の情報管理装置において、
上記情報端末装置および上記他の情報端末装置は１または多数であることを特徴とする情報管理装置。
【請求項８】
請求項４記載の情報管理装置において、
上記出力手段は、メッセージを予め指定されたアドレスに転送することを特徴とする情報管理装置。
【請求項９】
請求項６記載の情報管理装置において、
上記課金管理手段は、上記サービスエリア内のサービス事業者からのメッセージの書き込みに対して情報掲載料を課金することを特徴とする情報管理装置。
【請求項１０】
請求項６記載の情報管理装置において、
上記課金管理手段は、課金に対する支払い金額に応じて情報の掲載時間を変えることを特徴とする情報管理装置。
【請求項１１】
請求項６記載の情報管理装置において、
上記課金管理手段は、メッセージの書き込み毎に課金することを特徴とする情報管理装置。
【請求項１２】
情報管理装置のサービスエリア内外で異なる情報のサービスを受ける情報端末装置における情報通信方法において、
メッセージを入力する入力ステップと、
位置情報を取得して上記メッセージに添付する位置情報取得ステップと、
上記サービスエリア内における上記情報管理装置への書き込みをするために、上記位置情報を添付したメッセージを上記情報管理装置に送信する送信ステップと、
上記サービスエリア内外にかかわらず、他の情報端末装置から上記情報管理装置へ書き込まれたメッセージを上記情報管理装置から受信する受信ステップと、
上記メッセージを表示する表示ステップとを備えたことを特徴とする情報通信方法。
【請求項１３】
情報端末装置に対してサービスエリア内外で異なる情報のサービスを提供する情報管理装置における情報通信方法において、
上記情報端末装置からのメッセージの書き込み要求を入力すると共に、他の情報端末装置から書き込まれたメッセージの閲覧要求を入力する入力ステップと、上記サービスエリア内外に応じて、上記サービスエリア内における上記情報端末装置からのメッセージの書き込みを許可すると共に、上記サービスエリア内外にかかわらず、他の情報端末装置から書き込まれたメッセージの閲覧を許可するエリア管理ステップと、
上記サービスエリア内における上記情報端末装置から書き込み要求されたメッセージを記憶すると共に、上記サービスエリア内外にかかわらず、他の情報端末装置から書き込まれたメッセージを閲覧可能に読み出すメッセージ記憶ステップと、
上記情報端末装置に対して、上記他の情報端末装置から書き込まれたメッセージを閲覧のために出力する出力ステップと、を備えたことを特徴とする情報通信方法。
【請求項１４】
情報管理装置のサービスエリア内外で異なる情報のサービスを受ける情報端末装置に対して情報管理装置からサービスエリア内外で異なる情報のサービスを提供する情報通信システムにおいて、
上記情報端末装置は、
メッセージを入力する入力手段と、
位置情報を取得して上記メッセージに添付する位置情報取得手段と、
上記サービスエリア内における上記情報管理装置への書き込みをするために、上記位置情報を添付したメッセージを上記情報管理装置に送信する送信手段と、上記サービスエリア内外にかかわらず、他の情報端末装置から上記情報管理装置へ書き込まれたメッセージを上記情報管理装置から受信する受信手段と、
上記メッセージを表示する表示手段とを備え、
上記情報管理装置は、
上記情報端末装置からのメッセージの書き込み要求を入力すると共に、他の情報端末装置から書き込まれたメッセージの閲覧要求を入力する入力手段と、
上記サービスエリア内外に応じて、上記サービスエリア内における上記情報端末装置からのメッセージの書き込みを許可すると共に、上記サービスエリア内外にかかわらず、他の情報端末装置から書き込まれたメッセージの閲覧を許可するエリア管理手段と、
上記サービスエリア内における上記情報端末装置から書き込み要求されたメッセージを記憶すると共に、上記サービスエリア内外にかかわらず、他の情報端末装置から書き込まれたメッセージを閲覧可能に読み出すメッセージ記憶手段と、上記情報端末装置に対して、上記他の情報端末装置から書き込まれたメッセージを閲覧のために出力する出力手段と、を備えたことを特徴とする情報通信システム。
【発明の詳細な説明】
【０００１】
【発明の属する技術分野】
本発明は、例えば、所定通信範囲内でローカルコミュニケーションを行う情報端末装置、情報管理装置、情報通信方法および情報通信システムに関するものである。
【０００２】
【従来の技術】
従来からの携帯電話を用いた通話によるコミュニケーションは、予め電話をかけたい相手の電話番号を知っておく必要があった。この関係は電子メールによるコミュニケーションも同様で、相手のメールアドレスを予め知っておく必要があった。
【０００３】
また、携帯電話や電子メールを用いたコミュニケーションとは別に、インターネット上での掲示板やチャットのサイトでは、不特定多数を相手とするコミュニケーションが成り立っていた。
【０００４】
また、特許文献１には、図１に示すように、コミュニティ・システムへのログイン自体には課金せずに、コミュニティ・サービスの中でユーザーに対して特権を付与する仮想空間内への静止画像、動画像、文書画像、音楽等のコンテンツ情報の掲載に対して自動的に課金処理する課金サーバを設けたネットワーク・コンピューティング・システムが開示されている。
【０００５】
【特許文献１】
特開２００２−２７９２８４号
【０００６】
【発明が解決しようとする課題】
しかし、上述した従来の携帯電話や電子メールを用いたコミュニケーションでは、電話番号やメールアドレスを知らない不特定多数の相手に対し、コミュニケーションできる仕組みにはなっていないし、また、携帯電話や電子メールを用いたコミュニケーションの相手がどこにいるのかもわからないため、すぐに歩いて合うことができる範囲にいる相手かどうかわからないという不都合があった。
【０００７】
また、インターネット上での掲示板やチャットを用いたコミュニケーションでは、インターネット上の掲示板やチャットを用いたコミュニケーションの相手が実際どこにいるかはわからないため、すぐに歩いて合うことができる範囲にいる相手かどうかわからないという不都合があった。
【０００８】
このように、ある時点である場所、例えば街レベルのすぐに歩いて合うことができる範囲、にいる不特定多数に対してコミュニケーションを取れる仕組みは現時点で存在しないという不都合があった。
【０００９】
また、特許文献１では、小規模ネットワーク（ＬＡＮ）、インターネットおよび公衆電話網（ＰＴＳＮ，ＩＳＤＮ）を用いたネットワーク内コミュニティ・サービスを受けることができる点が開示されているが、ネットワーク外のユーザーに対してサービス内容を見せることができないという不都合があった。
【００１０】
そこで、本発明は、かかる点に鑑みてなされたものであり、サービスエリア内にいる不特定多数に対してコミュニケーションを取れる情報端末装置、情報管理装置、情報通信方法および情報通信システムを提供することを課題とする。
【００１１】
【課題を解決するための手段】
本発明の情報端末装置は、メッセージを入力する入力手段と、位置情報を取得して上記メッセージに添付する位置情報取得手段と、上記サービスエリア内における上記情報管理装置への書き込みをするために、上記位置情報を添付したメッセージを上記情報管理装置に送信する送信手段と、上記サービスエリア内外にかかわらず、他の情報端末装置から上記情報管理装置へ書き込まれたメッセージを上記情報管理装置から受信する受信手段と、上記メッセージを表示する表示手段とを備えたものである。
【００１２】
従って本発明によれば、以下の作用をする。
入力手段はユーザーのメッセージを入力する。位置情報取得手段は位置情報を取得してメッセージに添付する。送信手段はサービスエリア内における情報管理装置への書き込みをするために、位置情報を添付したメッセージを情報管理装置に送信する。受信手段はサービスエリア内外にかかわらず、他の情報端末装置から情報管理装置へ書き込まれたメッセージを情報管理装置から受信する。表示手段はメッセージを表示する。これにより、情報端末装置は、サービスエリア内でのみメッセージの書き込みをすることができ、また、サービスエリア外であっても書き込まれているメッセージの閲覧をすることができる。
【００１３】
また、本発明の情報管理装置は、上記情報端末装置からのメッセージの書き込み要求を入力すると共に、他の情報端末装置から書き込まれたメッセージの閲覧要求を入力する入力手段と、上記サービスエリア内外に応じて、上記サービスエリア内における上記情報端末装置からのメッセージの書き込みを許可すると共に、上記サービスエリア内外にかかわらず、他の情報端末装置から書き込まれたメッセージの閲覧を許可するエリア管理手段と、上記サービスエリア内における上記情報端末装置から書き込み要求されたメッセージを記憶すると共に、上記サービスエリア内外にかかわらず、他の情報端末装置から書き込まれたメッセージを閲覧可能に読み出すメッセージ記憶手段と、上記情報端末装置に対して、上記他の情報端末装置から書き込まれたメッセージを閲覧のために出力する出力手段とを備えたものである。
【００１４】
従って本発明によれば、以下の作用をする。
入力手段は情報端末装置からのメッセージの書き込み要求を入力すると共に、他の情報端末装置から書き込まれたメッセージの閲覧要求を入力する。エリア管理手段はサービスエリア内外に応じて、サービスエリア内における情報端末装置からのメッセージの書き込みを許可すると共に、サービスエリア内外にかかわらず、他の情報端末装置から書き込まれたメッセージの閲覧を許可する。メッセージ記憶手段はサービスエリア内における情報端末装置から書き込み要求されたメッセージを記憶すると共に、サービスエリア内外にかかわらず、他の情報端末装置から書き込まれたメッセージを閲覧可能に読み出す。出力手段は情報端末装置に対して、他の情報端末装置から書き込まれたメッセージを閲覧のために出力する。これにより、情報管理装置は、情報端末装置に対してサービスエリア内でのみメッセージの書き込みを許可して、メッセージを記憶することができ、また、サービスエリア外であっても書き込まれているメッセージの閲覧を許可して、メッセージを送信することができる。
【００１５】
また、本発明の情報通信方法は、メッセージを入力する入力ステップと、位置情報を取得して上記メッセージに添付する位置情報取得ステップと、上記サービスエリア内における上記情報管理装置への書き込みをするために、上記位置情報を添付したメッセージを上記情報管理装置に送信する送信ステップと、上記サービスエリア内外にかかわらず、他の情報端末装置から上記情報管理装置へ書き込まれたメッセージを上記情報管理装置から受信する受信ステップと、上記メッセージを表示する表示ステップとを備えたものである。
【００１６】
従って本発明によれば、以下の作用をする。
入力ステップはユーザーのメッセージを入力する。位置情報取得ステップは位置情報を取得してメッセージに添付する。送信ステップはサービスエリア内における情報管理装置への書き込みをするために、位置情報を添付したメッセージを情報管理装置に送信する。受信ステップはサービスエリア内外にかかわらず、他の情報端末装置から情報管理装置へ書き込まれたメッセージを情報管理装置から受信する。表示ステップはメッセージを表示する。これにより、情報端末装置は、サービスエリア内でのみメッセージの書き込みをすることができ、また、サービスエリア外であっても書き込まれているメッセージの閲覧をすることができる。
【００１７】
また、本発明の情報通信方法は、上記情報端末装置からのメッセージの書き込み要求を入力すると共に、他の情報端末装置から書き込まれたメッセージの閲覧要求を入力する入力ステップと、上記サービスエリア内外に応じて、上記サービスエリア内における上記情報端末装置からのメッセージの書き込みを許可すると共に、上記サービスエリア内外にかかわらず、他の情報端末装置から書き込まれたメッセージの閲覧を許可するエリア管理ステップと、上記サービスエリア内における上記情報端末装置から書き込み要求されたメッセージを記憶すると共に、上記サービスエリア内外にかかわらず、他の情報端末装置から書き込まれたメッセージを閲覧可能に読み出すメッセージ記憶ステップと、上記情報端末装置に対して、上記他の情報端末装置から書き込まれたメッセージを閲覧のために出力する出力ステップとを備えたものである。
【００１８】
従って本発明によれば、以下の作用をする。
入力ステップは情報端末装置からのメッセージの書き込み要求を入力すると共に、他の情報端末装置から書き込まれたメッセージの閲覧要求を入力する。エリア管理ステップはサービスエリア内外に応じて、サービスエリア内における情報端末装置からのメッセージの書き込みを許可すると共に、サービスエリア内外にかかわらず、他の情報端末装置から書き込まれたメッセージの閲覧を許可する。
メッセージ記憶ステップはサービスエリア内における情報端末装置から書き込み要求されたメッセージを記憶すると共に、サービスエリア内外にかかわらず、他の情報端末装置から書き込まれたメッセージを閲覧可能に読み出す。出力ステップは情報端末装置に対して、他の情報端末装置から書き込まれたメッセージを閲覧のために出力する。これにより、情報管理装置は、情報端末装置に対してサービスエリア内でのみメッセージの書き込みを許可して、メッセージを記憶することができ、また、サービスエリア外であっても書き込まれているメッセージの閲覧を許可して、メッセージを送信することができる。
【００１９】
また、本発明の情報通信システムは、上記情報端末装置は、メッセージを入力する入力手段と、位置情報を取得して上記メッセージに添付する位置情報取得手段と、上記サービスエリア内における上記情報管理装置への書き込みをするために、上記位置情報を添付したメッセージを上記情報管理装置に送信する送信手段と、上記サービスエリア内外にかかわらず、他の情報端末装置から上記情報管理装置へ書き込まれたメッセージを上記情報管理装置から受信する受信手段と、上記メッセージを表示する表示手段とを備え、上記情報管理装置は、上記情報端末装置からのメッセージの書き込み要求を入力すると共に、他の情報端末装置から書き込まれたメッセージの閲覧要求を入力する入力手段と、上記サービスエリア内外に応じて、上記サービスエリア内における上記情報端末装置からのメッセージの書き込みを許可すると共に、上記サービスエリア内外にかかわらず、他の情報端末装置から書き込まれたメッセージの閲覧を許可するエリア管理手段と、上記サービスエリア内における上記情報端末装置から書き込み要求されたメッセージを記憶すると共に、上記サービスエリア内外にかかわらず、他の情報端末装置から書き込まれたメッセージを閲覧可能に読み出すメッセージ記憶手段と、上記情報端末装置に対して、上記他の情報端末装置から書き込まれたメッセージを閲覧のために出力する出力手段と、を備えたものである。
【００２０】
従って本発明によれば、以下の作用をする。
情報端末装置において、入力手段はユーザーのメッセージを入力する。位置情報取得手段は位置情報を取得してメッセージに添付する。送信手段はサービスエリア内における情報管理装置への書き込みをするために、位置情報を添付したメッセージを情報管理装置に送信する。受信手段はサービスエリア内外にかかわらず、他の情報端末装置から情報管理装置へ書き込まれたメッセージを情報管理装置から受信する。表示手段はメッセージを表示する。これにより、情報端末装置は、サービスエリア内でのみメッセージの書き込みをすることができ、また、サービスエリア外であっても書き込まれているメッセージの閲覧をすることができる。
【００２１】
情報管理装置において、入力手段は情報端末装置からのメッセージの書き込み要求を入力すると共に、他の情報端末装置から書き込まれたメッセージの閲覧要求を入力する。エリア管理手段はサービスエリア内外に応じて、サービスエリア内における情報端末装置からのメッセージの書き込みを許可すると共に、サービスエリア内外にかかわらず、他の情報端末装置から書き込まれたメッセージの閲覧を許可する。メッセージ記憶手段はサービスエリア内における情報端末装置から書き込み要求されたメッセージを記憶すると共に、サービスエリア内外にかかわらず、他の情報端末装置から書き込まれたメッセージを閲覧可能に読み出す。
出力手段は情報端末装置に対して、他の情報端末装置から書き込まれたメッセージを閲覧のために出力する。これにより、情報管理装置は、情報端末装置に対してサービスエリア内でのみメッセージの書き込みを許可して、メッセージを記憶することができ、また、サービスエリア外であっても書き込まれているメッセージの閲覧を許可して、メッセージを送信することができる。これにより、ローカルコミュニケーションサービスを実現することができる。
【００２２】
【発明の実施の形態】
以下に、本発明の実施の形態について適宜図面を参照しながら説明する。
ある時点である場所にいる不特定多数の相手とのコミュニケーションを成立させるためには、まずユーザー同士が近接した場所を示すサービスエリアにいないと十分なサービスが受けられないローカルコミュニケーションサービスシステムが必要となる。以下に、このシステムを実現するための端末およびサーバーの構成およびその動作を詳述する。
【００２３】
図１は、本発明の実施の形態に適用される端末の構成を示すブロック図である。
図１において、端末１は、ユーザー入力操作７によるメッセージを入力するメッセージ入力部２を有して構成される。メッセージ入力部２は、例えば、任意のメッセージを入力可能なキーボードや固定パターンのメッセージを入力可能なタッチパネル、音声を取り込むマイク、静止画像や動画像を取り込むカメラを有するものである。
【００２４】
また、端末１は、９で示すように、ＧＰＳ衛星からのＧＰＳ情報や、到達範囲の限定された電波情報などから位置情報を取得して、８で示すように、メッセージに位置情報を添付する位置情報取得部３を有して構成される。
【００２５】
また、端末１−１は、１０に示すように、位置情報を添付したメッセージをサーバーへ送出する送出部４を有して構成される。また、端末１−１は、１１に示すように、サーバーから送出される他の端末のメッセージを受信する受信部５を有して構成される。また、端末１−１は、１２で示すように、受信された他の端末のメッセージを表示する表示部６を有して構成される。
【００２６】
図２は、本発明の実施の形態に適用されるサーバーの構成を示すブロック図である。
図２において、サーバー２１は、２８に示すように、端末から送信される位置情報を添付したメッセージの書き込み要求２９や他の端末から書き込まれたメッセージの閲覧要求３０を入力する入力部２２を有して構成される。
【００２７】
また、サーバー２１は、端末のユーザーの識別符号によりサービスを受けるための認証をする共に、ユーザーの個人情報を管理するユーザーデータベース（ＤＢ）部２３を有して構成される。
【００２８】
また、サーバー２１は、サービスエリア内外に応じて、サービスエリア内における端末からのメッセージの書き込みを許可すると共に、サービスエリア内外にかかわらず他の端末から書き込まれたメッセージの閲覧を許可するエリアデータベース（ＤＢ）部２４を有して構成される。
【００２９】
また、サーバー２１は、エリアデータベース（ＤＢ）部２４からの課金要求により端末のユーザーの課金結果をユーザーデータベース（ＤＢ）部２３に供給して、端末のユーザーに対する課金を管理する課金データベース（ＤＢ）部２５を有して構成される。
【００３０】
また、サーバー２１は、サービスエリア内における端末から書き込み要求されたメッセージを記憶すると共に、サービスエリア内外にかかわらず、他の端末から書き込まれたメッセージを閲覧可能に読み出すメッセージデータベース（ＤＢ）部２６とを有して構成される。
【００３１】
また、サーバー２１は、端末に対して、他の端末から書き込まれたメッセージを閲覧のために出力する出力部２７を有して構成される。
【００３２】
図３は、ローカルコミュニケーションサービスシステムを実現する端末およびサーバーの動作を示すフローチャートである。
【００３３】
まず、端末からサーバーへのメッセージの書き込みについて説明する。
図３において、ステップＳ１で、ユーザー３１は識別符号（ＩＤ）やパスワード（ｐｗｄ）を端末１を介してサーバー２１のユーザーデータベース（ＤＢ）部２３に入力する。
【００３４】
ステップＳ２で、サーバー２１のユーザーデータベース（ＤＢ）部２３は、入力された識別符号（ＩＤ）やパスワード（ｐｗｄ）の認証を行う。
【００３５】
ステップＳ３で、サーバー２１のユーザーデータベース（ＤＢ）部２３は、認証結果を端末１に通知して、端末１は認証結果を表示させる。
【００３６】
ステップＳ４で、ユーザー３１はメッセージを端末１に入力する。ステップＳ５で、端末１はサーバー２１のユーザーデータベース（ＤＢ）部２３を介してエリアデータベース（ＤＢ）部２４に位置情報およびメッセージを送信する。
【００３７】
ステップＳ６で、エリアデータベース（ＤＢ）部２４は送信された位置情報およびメッセージの認証を行う。
【００３８】
ステップＳ７で、エリアデータベース（ＤＢ）部２４は課金データベース（ＤＢ）部２５に端末のユーザーに対する課金要求をする。
【００３９】
ステップＳ８で、課金データベース（ＤＢ）部２５は端末のユーザーの課金結果をエリアデータベース（ＤＢ）部２４を介してユーザーデータベース（ＤＢ）部２３に供給する。
【００４０】
ステップＳ９で、ユーザーデータベース（ＤＢ）部２３はエリアデータベース（ＤＢ）部２４および課金データベース（ＤＢ）部２５を介してメッセージデータベース（ＤＢ）部２６に端末のユーザーの個人情報およびメッセージを供給する。
【００４１】
ステップＳ１０で、メッセージデータベース（ＤＢ）部２６はメッセージの書き込み結果および課金結果または他の端末からのメッセージを端末１に通知して、端末１にメッセージの書き込み結果および課金結果または他の端末からのメッセージを表示させる。
【００４２】
ステップＳ１１で、ユーザー３１は端末１を介してサーバー２１のメッセージデータベース（ＤＢ）部２６に着メッセージ確認通知を入力する。
【００４３】
ステップＳ１２で、メッセージデータベース（ＤＢ）部２６は着メッセージ確認結果を端末１に通知して、端末１に着メッセージ確認結果を表示させる。
【００４４】
以下に、他の端末からのメッセージに対する返信メッセージの書き込みについて説明する。
【００４５】
ステップＳ１３で、ユーザー３１は返信メッセージを端末１に入力する。ステップＳ１４で、端末１はサーバー２１のユーザーデータベース（ＤＢ）部２３を介してエリアデータベース（ＤＢ）部２４に位置情報および返信メッセージを送信する。
【００４６】
ステップＳ１５で、エリアデータベース（ＤＢ）部２４は課金データベース（ＤＢ）部２５に端末のユーザーに対する課金要求をする。
【００４７】
ステップＳ１６で、課金データベース（ＤＢ）部２５は端末のユーザーの課金結果をエリアデータベース（ＤＢ）部２４を介してユーザーデータベース（ＤＢ）部２３に供給する。
【００４８】
ステップＳ１７で、ユーザーデータベース（ＤＢ）部２３はエリアデータベース（ＤＢ）部２４および課金データベース（ＤＢ）部２５を介してメッセージデータベース（ＤＢ）部２６に端末のユーザーの個人情報および返信メッセージを供給する。
【００４９】
ステップＳ１８で、メッセージデータベース（ＤＢ）部２６は返信メッセージの書き込み結果および課金結果を端末１に通知して、端末１に返信メッセージの書き込み結果および課金結果を表示させる。
【００５０】
図４はＧＰＳによる位置特定を示す図である。図４において、端末１−１は、ステップＳ２１で、衛星４１からのＧＰＳ情報（ｃ、Ｄ）を受信して、ステップＳ２２で、サーバー２１へサービスエリア００１（ａ〜ｄ，Ｂ〜Ｅ）４２内の位置情報（ｃ、Ｄ）およびメッセージ情報の送信を行う。ステップＳ２３で、サーバー２１は、サービスエリア００１内の情報として受付を許可する。
【００５１】
また、端末１−２は、ステップＳ２４で、衛星４１からのＧＰＳ情報（ｆ、Ｃ）を受信して、ステップＳ２５で、サーバー２１へサービスエリア００１（ａ〜ｄ，Ｂ〜Ｅ）４２外の位置情報（ｆ、Ｃ）およびメッセージ情報の送信を行う。ステップＳ２６で、サーバー２１は、サービスエリア００１外の情報として受付を拒否する。
【００５２】
これにより、端末がその場所に存在することを確認するために、端末からメッセージ情報を発信する毎に、発信時のＧＰＳ情報をメッセージ情報に添付し、サーバーはそのＧＰＳ情報がサービスエリアの中の値である場合にのみ、発信情報を受け付けるようにすることができる。
【００５３】
図５は、無線による位置特定を示す図である。
図５において、ステップＳ３１で、基地局００１（５１）の電波到達範囲５２内の端末１−１は、メッセージ情報を基地局００１（５１）へ送信する。ステップＳ３２で、基地局００１（５１）はこれを受信する。ステップＳ３３で、基地局００１（５１）は基地局情報およびメッセージ情報をサーバー２１に送信する。ステップＳ３４で、サーバー２１は、基地局００１（５１）の電波到達範囲５２の情報として受け付ける。
【００５４】
また、ステップＳ３５で、基地局００１（５１）の電波到達範囲５２外の端末１−２は、メッセージ情報を基地局００１（５１）へ送信する。ステップＳ３６で、基地局００１（５１）はこれを受信不能であるため、基地局００１（５１）は基地局情報およびメッセージ情報をサーバー２１に送信しないので、サーバー２１は、基地局００１（５１）の電波到達範囲５２外の情報を受け付けない。
【００５５】
これにより、例えば、ブルーツース（Ｂｌｕｅｔｏｏｔｈ）やＩＥＥＥ８０２．１１ａなどの無線通信方式を用いて物理的にその電波の到達範囲の中でのみ、端末からのメッセージ情報の発信に対するサーバーの受信を可能にすることができる。この際、複数の無線通信の基地局を各電波の到達範囲内に配置することにより、電波の到達範囲を拡大することができる。
【００５６】
上述した位置特定方法を用いて、ユーザーの端末がサービスエリア内に存在すれば、サーバーの掲示板へのメッセージの掲載、および掲載されたメッセージへの返信を可能とすることができる。この場合のメッセージは、文字（テキストデータ）、静止画（写真）、動画のいずれでも良いし、その組み合わせでも良い。
【００５７】
以下に、具体的なローカルコミュニケーションサービスの内容を説明する。コミュニケーションには大きく分けて２通りの方法がある。
図６は、１対多コミュニケーションを示す図である。
図６において、ステップＳ４１で、ユーザーＡ端末１−Ａからローカルコミュニケーションサービス６１を実行するサーバー２１へメッセージＡの掲載を行う。
【００５８】
ステップＳ４２−１で、ユーザーＢ端末１−Ｂは、ローカルコミュニケーションサービス６１を実行するサーバー２１からメッセージＡの閲覧を行い、ステップＳ４２−２で、ユーザーＣ端末１−Ｃは、ローカルコミュニケーションサービス６１を実行するサーバー２１からメッセージＡの閲覧を行い、ステップＳ４２−３で、ユーザーＤ端末１−Ｄは、ローカルコミュニケーションサービス６１を実行するサーバー２１からメッセージＡの閲覧を行う。
【００５９】
ステップＳ４３で、ユーザーＢ端末１−Ｂは、ローカルコミュニケーションサービス６１を実行するサーバー２１へメッセージＢの返信を行う。
【００６０】
ステップＳ４４で、ユーザーＡ端末１−Ａは、ローカルコミュニケーションサービス６１を実行するサーバー２１からメッセージＢの閲覧を行う。
【００６１】
ステップＳ４５−１で、ユーザーＤ端末１−Ｄは、ローカルコミュニケーションサービス６１を実行するサーバー２１へメッセージＣの返信を行うと共に、返信結果の転送設定を行う。ステップＳ４５−２で、ユーザーＡ端末１−Ａは、ローカルコミュニケーションサービス６１を実行するサーバー２１からメッセージＣの閲覧を行う。
【００６２】
ステップＳ４６で、ユーザーＡ端末１−Ａは、ローカルコミュニケーションサービス６１を実行するサーバー２１へユーザー１−Ｄに対するメッセージＤの返信を行う。
【００６３】
ステップＳ４７で、ローカルコミュニケーションサービス６１を実行するサーバー２１は転送先端末６２にメッセージＤの転送を行う。
【００６４】
ステップＳ４８で、ユーザーＤ端末１−Ｄは、転送先端末６２からメッセージＤの閲覧を行う。
【００６５】
これにより、掲載されたメッセージに対してユーザーが返信メッセージを返して、この返信メッセージは掲載者のみが閲覧することができ、他のユーザーは返信メッセージの閲覧をすることができないので、１対多のコミュニケーションを実現することができる。なお、返信メッセージは、予め登録したメールアドレスに転送して、移動先でも閲覧することができる。
【００６６】
図７は、多対多コミュニケーションを示す図である。
図７において、ステップＳ５１で、ユーザーＡ端末１−Ａからローカルコミュニケーションサービス７１を実行するサーバー２１へメッセージＡの掲載を行う。
【００６７】
ステップＳ５２−１で、ユーザーＢ端末１−Ｂは、ローカルコミュニケーションサービス７１を実行するサーバー２１からメッセージＡの閲覧を行い、ステップＳ５２−２で、ユーザーＣ端末１−Ｃは、ローカルコミュニケーションサービス７１を実行するサーバー２１からメッセージＡの閲覧を行い、ステップＳ５２−３で、ユーザーＤ端末１−Ｄは、ローカルコミュニケーションサービス７１を実行するサーバー２１からメッセージＡの閲覧を行う。
【００６８】
ステップＳ５３で、ユーザーＢ端末１−Ｂは、ローカルコミュニケーションサービス７１を実行するサーバー２１へメッセージＢの返信を行う。
【００６９】
ステップＳ５４−１で、ユーザーＡ端末１−Ａは、ローカルコミュニケーションサービス７１を実行するサーバー２１からメッセージＢの閲覧を行い、ステップＳ５４−２で、ユーザーＣ端末１−Ｃは、ローカルコミュニケーションサービス７１を実行するサーバー２１からメッセージＢの閲覧を行い、ステップＳ５４−３で、ユーザーＤ端末１−Ｄは、ローカルコミュニケーションサービス７１を実行するサーバー２１からメッセージＢの閲覧を行う。
【００７０】
ステップＳ５５−１で、ユーザーＤ端末１−Ｄは、ローカルコミュニケーションサービス７１を実行するサーバー２１へメッセージＣの返信を行うと共に、返信結果の転送設定を行う。ステップＳ５５−２で、ユーザーＡ端末１−Ａは、ローカルコミュニケーションサービス７１を実行するサーバー２１からメッセージＣの閲覧を行い、ステップＳ５５−３で、ユーザーＢ端末１−Ｂは、ローカルコミュニケーションサービス７１を実行するサーバー２１からメッセージＣの閲覧を行い、ステップＳ５５−４で、ユーザーＣ端末１−Ｃは、ローカルコミュニケーションサービス７１を実行するサーバー２１からメッセージＣの閲覧を行う。
【００７１】
ステップＳ５６で、ユーザーＡ端末１−Ａは、ローカルコミュニケーションサービス７１を実行するサーバー２１へユーザー１−Ｄに対するメッセージＤの返信を行う。
【００７２】
ステップＳ５７で、ローカルコミュニケーションサービス７１を実行するサーバー２１は転送先端末７２にメッセージＤの転送を行う。
【００７３】
ステップＳ５８で、ユーザーＤ端末１−Ｄは、転送先端末７２からメッセージＤの閲覧を行う。
【００７４】
これにより、掲載されたメッセージに対し、ユーザーが返信メッセージを返すが、その返信メッセージも元のメッセージに紐付けて掲載され、他のユーザーも閲覧することができるので、多対多のコミュニケーションを実現することができる。
【００７５】
上述したように、１対多または多対多のコミュニケーションを組み合わせることにより、利用目的に応じたコミュニケーションを可能とすることができる。
【００７６】
図８は、サービスに伴うお金の流れを示す図である。
図８において、ステップＳ６１で、ユーザーＡ端末１−Ａからローカルコミュニケーションサービス８１を実行するサーバー２１へメッセージＡの掲載を行う。このとき、メッセージＡの掲載料として、１時間ＸＸ円のローカルコミュニケーションサービス８１を実行するサーバー２１からユーザーＡ端末１−Ａへの課金に対する支払いがされる。
【００７７】
ステップＳ６２−１で、ユーザーＢ端末１−Ｂは、ローカルコミュニケーションサービス８１を実行するサーバー２１からメッセージＡの閲覧を行い、ステップＳ６２−２で、ユーザーＣ端末１−Ｃは、ローカルコミュニケーションサービス８１を実行するサーバー２１からメッセージＡの閲覧を行い、ステップＳ６２−３で、ユーザーＤ端末１−Ｄは、ローカルコミュニケーションサービス８１を実行するサーバー２１からメッセージＡの閲覧を行う。
【００７８】
ステップＳ６３で、ユーザーＢ端末１−Ｂは、ローカルコミュニケーションサービス８１を実行するサーバー２１へメッセージＢの返信を行う。このとき、メッセージＢの送信料として、ＹＹ円がローカルコミュニケーションサービス８１を実行するサーバー２１からユーザーＢ端末１−Ｂへの課金に対する支払いがされる。
【００７９】
ステップＳ６４で、ユーザーＡ端末１−Ａは、ローカルコミュニケーションサービス８１を実行するサーバー２１からメッセージＢの閲覧を行う。
【００８０】
ステップＳ６５−１で、ユーザーＤ端末１−Ｄは、ローカルコミュニケーションサービス８１を実行するサーバー２１へメッセージＣの返信を行うと共に、返信結果の転送設定を行う。このとき、メッセージＣの送信料として、ＹＹ円がローカルコミュニケーションサービス８１を実行するサーバー２１からユーザーＤ端末１−Ｄへの課金に対する支払いがされる。
【００８１】
ステップＳ６５−２で、ユーザーＡ端末１−Ａは、ローカルコミュニケーションサービス８１を実行するサーバー２１からメッセージＣの閲覧を行う。
【００８２】
ステップＳ６６で、ユーザーＡ端末１−Ａは、ローカルコミュニケーションサービス８１を実行するサーバー２１へユーザー１−Ｄに対するメッセージＤの返信を行う。このとき、メッセージＤの送信料として、ＹＹ円がローカルコミュニケーションサービス８１を実行するサーバー２１からユーザーＡ端末１−Ａへの課金に対する支払いがされる。
【００８３】
ステップＳ６７で、ローカルコミュニケーションサービス８１を実行するサーバー２１は転送先端末８２にメッセージＤの転送を行う。
【００８４】
ステップＳ６８で、ユーザーＤ端末１−Ｄは、転送先端末８２からメッセージＤの閲覧を行う。
【００８５】
ステップＳ６９で、サービスエリア内のサービス事業者８３はローカルコミュニケーションサービス８１を実行するサーバー２１に対して、情報掲載料として１ヵ月ＺＺ円を支払う。ローカルコミュニケーションサービス８１を実行するサーバー２１はサービス事業者８３に情報掲載料を請求する。
【００８６】
これにより、掲載メッセージは有料とし、掲載時間により金額が変わるものとすることにより、１対多のコミュニケーションの場合は最初にメッセージを掲載したユーザーの支払った金額により、そのメッセージの掲載時間が決まるようにして、本人の追加料金の支払による時間延長を可能にすることができ、多対多のコミュニケーションの場合は最初のメッセージの掲載者以外のユーザーが時間延長の利用料を支払うことができるようにすることができる。
【００８７】
また、掲載メッセージに対する返信メッセージにも課金を行うようにすることができ、この場合、１件当たりいくらという課金で時間には依存しないようにすることができる。
【００８８】
また、ある時点である場所にユーザーがいることが特定できていることを利用して、サービス事業者からの広告、情報掲載料を徴収することができ、サービス事業者にとっては、お店に来る可能性が高いユーザーに対して、効果的な情報、例えばクーポン等を提供することによって、集客増を図ることができる。
【００８９】
図９は、ローカルコミュニケーションサービスに対するユーザーの会員登録を示す図である。
図９において、ステップＳ７１で、ユーザーＡ端末１−Ａはローカルコミュニケーションサービス９１を実行するサーバー２１にメールアドレスを送信し、ローカルコミュニケーションサービス９１を実行するサーバー２１は送信されたメールアドレスをチェックする。ここで、メールアドレスと共に、性別、生年月日などを併せて登録情報とする。
【００９０】
ステップ７２で、ユーザーＡ端末１−ＡはユーザーＡの任意の識別符号（ＩＤ）やパスワード（ｐｗｄ）を、ローカルコミュニケーションサービス９１を実行するサーバー２１に登録要求する。
【００９１】
ステップ７３で、ローカルコミュニケーションサービス９１を実行するサーバー２１は送信された識別符号（ＩＤ）やパスワード（ｐｗｄ）をチェックする。
【００９２】
ステップ７４で、ローカルコミュニケーションサービス９１を実行するサーバー２１はユーザーＡ端末１−Ａに登録完了通知をする。
【００９３】
ステップ７５で、ユーザーＡ端末１−Ａはローカルコミュニケーションサービス９１を実行するサーバー２１に入金処理を行う。ここで、入金処理は、例えば、ＩＣカード、プリペイドカードなどにより電子的に入金処理されるものである。
【００９４】
ステップ７６で、ローカルコミュニケーションサービス９１を実行するサーバー２１は入金処理されたお金の課金管理をする。
【００９５】
これにより、ユーザーは事前にローカルコミュニケーションサービス９１を実行するサーバー２１に登録し、識別符号（ＩＤ）やパスワード（ｐｗｄ）を用いてサービスを提供することができ、さらに、メッセージの転送先のメールアドレスも登録し、１つのメールアドレスについては識別符号（ＩＤ）は１つしか登録できないようにすることにより、なりすましを防止することができる。
【００９６】
また、サービスの利用に際しては、例えば、ＩＣカード、プリペイドカード等の電子的に入金処理に対して認証、課金を行うようにすることができる。
【００９７】
また、ここで取り扱うメッセージは１対多または多対多のコミュニケーションを目的とするものであるため、識別符号（ＩＤ）やパスワード（ｐｗｄ）のチェックにより、明らかに不正な商業目的、もしくは公序良俗に反するメッセージはローカルコミュニケーションサービス９１を実行するサーバー２１の管理者側で削除することにより、安全な環境でコミュニケーションを行うことができる。
【００９８】
図１０は、サービスエリア外の対応を示す図である。
図１０において、ステップＳ８１−１で、基地局００１（１０１）の電波到達範囲内を示すサービスエリア１０２内の端末１−１は、メッセージＡ情報を送信する。
【００９９】
ステップＳ８１−２で、基地局００１（５１）はこれを受信する。ステップＳ８２−１で、基地局００１（５１）は基地局情報およびメッセージＡ情報をサーバー２１に送信する。ステップＳ８２−２で、サーバー２１は、基地局００１（５１）のサービスエリア１０２内の情報として受け付ける。
【０１００】
ステップＳ８３−１で、基地局００１（１０１）のサービスエリア１０２内の端末１−２は、メッセージＡ情報を閲覧する。また、ステップＳ８３−２で、基地局００１（５１）のサービスエリア１０２外の端末１−３は、メッセージＡ情報を閲覧する。
【０１０１】
また、ステップＳ８４で、基地局００１（５１）のサービスエリア１０２内の端末１−２は、メッセージＢ情報を基地局００１（５１）に送信すると、基地局００１（５１）はこれを受信可能である。
【０１０２】
ところが、ステップＳ８４′で、基地局００１（５１）のサービスエリア１０２外の端末１−３は、メッセージＣ情報を送信すると、ステップＳ８５で基地局００１（５１）はこれを受信不能である。
【０１０３】
ステップＳ８５で、基地局００１（５１）はサービスエリア１０２外の端末１−３からのメッセージＣ情報を受信不能であるため、基地局００１（５１）は基地局情報およびメッセージ情報をサーバー２１に送信しないので、サーバー２１は、基地局００１（５１）のサービスエリア１０２外の情報を受け付けないが、サービスエリア１０２内の端末１−１，１−２からサーバー２１に書き込まれたメッセージの閲覧は可能である。
【０１０４】
このため、サービスエリア１０２外の端末１−３をサービスエリア１０２内に移動させて、集客効果を図ることができる。
【０１０５】
これにより、掲載メッセージはサービスエリア外でも閲覧可能であるが、メッセージの掲載、およびメッセージへの返信はサービスエリア外ではできないようにすることにより、サービスエリア内の場所への集客およびサービスの利用効率を図ることができる。
【０１０６】
上述した本実施の形態により、ある時間にある場所にいる不特定多数のユーザーとのコミュニケーションが可能となるので、その町で目的とするお店の道順を聞いたり、同じ趣味の仲間を集めたりすることができる。この際に、サービスエリアの内外で、従来のチャット形式で全てのメッセージを公開して書き込みを許可する方式と、掲示板形式でメッセージの閲覧だけを許可する方式とで異なるサービスを提供することができる。
【０１０７】
また、今までは、直接不特定の人に声をかけるしか不特定多数に対するコミュニケーションをすることができなかったが、本実施の形態により、ある時間にある場所にいる不特定多数のユーザーとのコミュニケーションが簡単にできるので、心理的な抵抗感をなくすことできるため、コミュニケーションを増やすことができる。
【０１０８】
また、実際に人に会うと、例えば飲食店に入るなどの次の行動に移るので、予めそのようなサービスの情報も検索できるようにすることにより、そのサービスの利用を図ることができる。
【０１０９】
また、サービス事業者側としては、お店の近くに確実にいる人に対して、メッセージを発信でき、また、即時性を生かして、お店の空席の時間にはクーポンを表示し、満席の時間には表示しないなどの運用をすることができる。
【０１１０】
上述した端末は、例えば、携帯電話、ＰＤＡ（Ｐｅｒｓｏｎａｌ  Ｄｉｇｉｔａｌ  Ａｓｓｉｓｔａｎｔ）に限らず、非接触式ＩＣカードでも良く、この場合には街中にある自動販売機にこのカードをかざすだけで、自動販売機の位置情報を取得して、サーバーへメッセージが送信されるようにすることができる。これにより、例えば、渋谷の自動販売機で共通の趣味を持つ不特定多数の人とコミュニケーションをすることができる。
【０１１１】
また、このカードを駅の改札口にかざすだけで、駅の改札口の位置情報を取得して、サーバーへメッセージが送信されるようにすることができる。これにより、例えば、駅の改札口付近で横浜方向へタクシーの相乗りをする不特定多数の人を集めることができる。
【０１１２】
上述した本実施の形態に限らず、本発明の特許請求の範囲を逸脱しない範囲で適宜他の構成をとりうることは言うまでもない。
【０１１３】
【発明の効果】
この発明の情報端末装置は、情報管理装置のサービスエリア内外で異なる情報のサービスを受ける情報端末装置において、メッセージを入力する入力手段と、位置情報を取得して上記メッセージに添付する位置情報取得手段と、上記サービスエリア内における上記情報管理装置への書き込みをするために、上記位置情報を添付したメッセージを上記情報管理装置に送信する送信手段と、上記サービスエリア内外にかかわらず、他の情報端末装置から上記情報管理装置へ書き込まれたメッセージを上記情報管理装置から受信する受信手段と、上記メッセージを表示する表示手段とを備えたので、情報端末装置は、サービスエリア内でのみメッセージの書き込みをすることができ、また、サービスエリア外であっても書き込まれているメッセージの閲覧をすることにより、ある時点である場所にいる不特定多数の相手とのコミュニケーションをすることができるという効果を奏する。
【０１１４】
また、この発明の情報端末装置は、上述において、上記位置情報は、ＧＰＳ（Ｇｌｏｂａｌ  Ｐｏｓｉｔｉｏｎｉｎｇ  Ｓｙｓｔｅｍ）情報を用いて取得するので、端末がその場所に存在することを確認するために、端末からメッセージ情報を発信する毎に、発信時のＧＰＳ情報をメッセージ情報に添付し、サーバーはそのＧＰＳ情報がサービスエリアの中の値である場合にのみ、発信情報を受け付けるようにすることにより、ＧＰＳ精度に近いサービスエリアを実現することができるという効果を奏する。
【０１１５】
また、この発明の情報端末装置は、上述において、上記位置情報は、無線通信到達範囲の情報であるので、例えば、ブルーツース（Ｂｌｕｅｔｏｏｔｈ）やＩＥＥＥ８０２．１１ａなどの無線通信方式を用いて物理的にその電波の到達範囲の中でのみ、端末からのメッセージ情報の発信に対するサーバーの受信を可能にすることができる。この際、複数の無線通信の基地局を各電波の到達範囲内に配置することにより、電波の到達範囲を拡大することができるという効果を奏する。
【０１１６】
また、この発明の情報管理装置は、情報端末装置に対してサービスエリア内外で異なる情報のサービスを提供する情報管理装置において、上記情報端末装置からのメッセージの書き込み要求を入力すると共に、他の情報端末装置から書き込まれたメッセージの閲覧要求を入力する入力手段と、上記サービスエリア内外に応じて、上記サービスエリア内における上記情報端末装置からのメッセージの書き込みを許可すると共に、上記サービスエリア内外にかかわらず、他の情報端末装置から書き込まれたメッセージの閲覧を許可するエリア管理手段と、上記サービスエリア内における上記情報端末装置から書き込み要求されたメッセージを記憶すると共に、上記サービスエリア内外にかかわらず、他の情報端末装置から書き込まれたメッセージを閲覧可能に読み出すメッセージ記憶手段と、上記情報端末装置に対して、上記他の情報端末装置から書き込まれたメッセージを閲覧のために出力する出力手段とを備えたので、情報管理装置は、情報端末装置に対してサービスエリア内でのみメッセージの書き込みを許可して、メッセージを記憶することができ、また、サービスエリア外であっても書き込まれているメッセージの閲覧を許可して、メッセージを送信することにより、ある時点である場所にいる不特定多数の相手とのコミュニケーションをすることができるという効果を奏する。
【０１１７】
また、この発明の情報管理装置は、上述において、上記情報端末装置のユーザーの識別符号により上記エリア管理手段のサービスを受けるための認証をする共に、上記ユーザーの個人情報を管理するユーザー管理手段を備えたので、ユーザーは事前にローカルコミュニケーションサービスを実行するサーバーに登録し、識別符号（ＩＤ）やパスワード（ｐｗｄ）を用いてサービスを提供することができ、１つのメールアドレスについては識別符号（ＩＤ）は１つしか登録できないようにすることにより、なりすましを防止することができるという効果を奏する。
【０１１８】
また、この発明の情報管理装置は、上述において、上記エリア管理手段からの課金要求により上記情報端末装置のユーザーの課金結果を上記ユーザー管理手段に供給して、上記情報端末装置のユーザーに対する課金を管理する課金管理手段を備えたので、掲載メッセージは有料とし、閲覧は無料とする課金を行うことができるという効果を奏する。
【０１１９】
また、この発明の情報管理装置は、上述において、上記情報端末装置および上記他の情報端末装置は１または多数であるので、掲載されたメッセージに対してユーザーが返信メッセージを返して、この返信メッセージは掲載者のみが閲覧することができ、他のユーザーは返信メッセージの閲覧をすることができないので、１対多のコミュニケーションを実現することができ、また、掲載されたメッセージに対し、ユーザーが返信メッセージを返すが、その返信メッセージも元のメッセージに紐付けて掲載され、他のユーザーも閲覧することができるので、多対多のコミュニケーションを実現することができるという効果を奏する。
【０１２０】
また、この発明の情報管理装置は、上述において、上記出力手段は、メッセージを予め指定されたアドレスに転送するので、メッセージの転送先のメールアドレスを登録して、返信メッセージは、予め登録したメールアドレスに転送して、移動先でも閲覧することができるという効果を奏する。
【０１２１】
また、この発明の情報管理装置は、上述において、上記課金管理手段は、上記サービスエリア内のサービス事業者からのメッセージの書き込みに対して情報掲載料を課金するので、ある時点である場所にユーザがいることが特定できていることを利用して、サービス事業者からの広告、情報掲載料を徴収することができ、サービス事業者にとっては、お店に来る可能性が高いユーザーに対して、効果的な情報、例えばクーポン等を提供することによって、集客増を図ることができるという効果を奏する。
【０１２２】
また、この発明の情報管理装置は、上述において、上記課金管理手段は、課金に対する支払い金額に応じて情報の掲載時間を変えるので、掲載時間により金額が変わるものとすることにより、１対多のコミュニケーションの場合は最初にメッセージを掲載したユーザーの支払った金額により、そのメッセージの掲載時間が決まるようにして、本人の追加料金の支払による時間延長を可能にすることができ、多対多のコミュニケーションの場合は最初のメッセージの掲載者以外のユーザーが時間延長の利用料を支払うことができるようにすることができるという効果を奏する。
【０１２３】
また、この発明の情報管理装置は、上述において、上記課金管理手段は、メッセージの書き込み毎に課金するので、１件当たりいくらという課金で時間には依存しないようにすることができるという効果を奏する。
【０１２４】
また、この発明の情報通信方法は、情報管理装置のサービスエリア内外で異なる情報のサービスを受ける情報端末装置における情報通信方法において、メッセージを入力する入力ステップと、位置情報を取得して上記メッセージに添付する位置情報取得ステップと、上記サービスエリア内における上記情報管理装置への書き込みをするために、上記位置情報を添付したメッセージを上記情報管理装置に送信する送信ステップと、上記サービスエリア内外にかかわらず、他の情報端末装置から上記情報管理装置へ書き込まれたメッセージを上記情報管理装置から受信する受信ステップと、上記メッセージを表示する表示ステップとを備えたので、情報端末装置は、サービスエリア内でのみメッセージの書き込みをすることができ、また、サービスエリア外であっても書き込まれているメッセージの閲覧をすることにより、ある時点である場所にいる不特定多数の相手とのコミュニケーションをすることができるという効果を奏する。
【０１２５】
また、この発明の情報通信方法は、情報端末装置に対してサービスエリア内外で異なる情報のサービスを提供する情報管理装置における情報通信方法において、上記情報端末装置からのメッセージの書き込み要求を入力すると共に、他の情報端末装置から書き込まれたメッセージの閲覧要求を入力する入力ステップと、上記サービスエリア内外に応じて、上記サービスエリア内における上記情報端末装置からのメッセージの書き込みを許可すると共に、上記サービスエリア内外にかかわらず、他の情報端末装置から書き込まれたメッセージの閲覧を許可するエリア管理ステップと、上記サービスエリア内における上記情報端末装置から書き込み要求されたメッセージを記憶すると共に、上記サービスエリア内外にかかわらず、他の情報端末装置から書き込まれたメッセージを閲覧可能に読み出すメッセージ記憶ステップと、上記情報端末装置に対して、上記他の情報端末装置から書き込まれたメッセージを閲覧のために出力する出力ステップとを備えたので、情報管理装置は、情報端末装置に対してサービスエリア内でのみメッセージの書き込みを許可して、メッセージを記憶することができ、また、サービスエリア外であっても書き込まれているメッセージの閲覧を許可して、メッセージを送信することにより、ある時点である場所にいる不特定多数の相手とのコミュニケーションをすることができるという効果を奏する。
【０１２６】
また、この発明の情報通信システムは、情報管理装置のサービスエリア内外で異なる情報のサービスを受ける情報端末装置に対して情報管理装置からサービスエリア内外で異なる情報のサービスを提供する情報通信システムにおいて、上記情報端末装置は、メッセージを入力する入力手段と、位置情報を取得して上記メッセージに添付する位置情報取得手段と、上記サービスエリア内における上記情報管理装置への書き込みをするために、上記位置情報を添付したメッセージを上記情報管理装置に送信する送信手段と、上記サービスエリア内外にかかわらず、他の情報端末装置から上記情報管理装置へ書き込まれたメッセージを上記情報管理装置から受信する受信手段と、上記メッセージを表示する表示手段とを備え、上記情報管理装置は、上記情報端末装置からのメッセージの書き込み要求を入力すると共に、他の情報端末装置から書き込まれたメッセージの閲覧要求を入力する入力手段と、上記サービスエリア内外に応じて、上記サービスエリア内における上記情報端末装置からのメッセージの書き込みを許可すると共に、上記サービスエリア内外にかかわらず、他の情報端末装置から書き込まれたメッセージの閲覧を許可するエリア管理手段と、上記サービスエリア内における上記情報端末装置から書き込み要求されたメッセージを記憶すると共に、上記サービスエリア内外にかかわらず、他の情報端末装置から書き込まれたメッセージを閲覧可能に読み出すメッセージ記憶手段と、上記情報端末装置に対して、上記他の情報端末装置から書き込まれたメッセージを閲覧のために出力する出力手段とを備えたので、情報端末装置は、サービスエリア内でのみメッセージの書き込みをすることができ、また、サービスエリア外であっても書き込まれているメッセージの閲覧をすることができ、情報管理装置は、情報端末装置に対してサービスエリア内でのみメッセージの書き込みを許可して、メッセージを記憶することができ、また、サービスエリア外であっても書き込まれているメッセージの閲覧を許可して、メッセージを送信することにより、不特定多数のローカルコミュニケーションサービスを実現することができるという効果を奏する。
【図面の簡単な説明】
【図１】本発明の実施の形態に適用される端末の構成を示すブロック図である。
【図２】本発明の実施の形態に適用されるサーバーの構成を示すブロック図である。
【図３】ローカルコミュニケーションサービスシステムを実現する端末およびサーバーの動作を示すフローチャートである。
【図４】ＧＰＳによる位置特定を示す図である。
【図５】無線による位置特定を示す図である。
【図６】１対多のコミュニケーションを示す図である。
【図７】多対多のコミュニケーションを示す図である。
【図８】お金の流れを示す図である。
【図９】会員登録を示す図である。
【図１０】サービスエリア外の対応を示す図である。
【符号の説明】
１……端末、２……メッセージ入力部、３……位置情報取得部、４……送出部、５……受信部、６……表示部、２１……サーバー、２２……入力部、２３……ユーザーデータベース（ＤＢ）部、２４……エリアデータベース（ＤＢ）部、２５……課金データベース（ＤＢ）部、２６……メッセージデータベース（ＤＢ）部、２７……出力部、４１……衛星、４２……サービスエリア、５１……基地局、５２……電波到達範囲、６１，７１，８１，９１……ローカルコミュニケーションサービス、６２，７２，８２……転送先端末、９２……登録情報
【図１】
2004220522.tif 000003
【図２】
2004220522.tif 000004
【図３】
2004220522.tif 000005
【図４】
2004220522.tif 000006
【図５】
2004220522.tif 000007
【図６】
2004220522.tif 000008
【図７】
2004220522.tif 000009
【図８】
2004220522.tif 000010
【図９】
2004220522.tif 000011
【図１０】
2004220522.tif 000012